(57)【要約】【課題】簡単な構成で高い静音性を達成でき、さらに好適な例では抗菌効果をも得ることができる制振型食器洗浄器の筐体を提供する。【解決手段】双晶型の制振合金より構成された食器洗浄器１の筐体２であって、洗浄水の水による音を低減させる効果を有するとともに、制振合金の組成によっては抗菌効果をも有する。好ましくは、筐体２を構成する双晶型の制振合金を、Ｃｕ−Ａｌ−Ｍｎ合金、Ｍｇ−Ｚｒ合金、Ｍｎ−Ｃｕ合金、Ｍｎ−Ｃｕ−Ｎｉ−Ｆｅ合金、Ｃｕ−Ａｌ−Ｎｉ合金、Ｔｉ−Ｎｉ合金、Ａｌ−Ｚｎ合金、Ｃｕ−Ｚｎ−Ａｌ合金、Ｍｇ合金、Ｃｕ−Ａｌ−Ｃｏ合金、Ｃｕ−Ａｌ−Ｍｎ−Ｎｉ合金、Ｃｕ−Ａｌ−Ｍｎ−Ｃｏ合金、Ｃｕ−Ｓｉ合金、Ｆｅ−Ｍｎ−Ｓｉ合金、Ｆｅ−Ｎｉ−Ｃｏ−Ｔｉ合金、Ｆｅ−Ｎｉ−Ｃ合金、Ｆｅ−Ｃｒ−Ｎｉ−Ｍｎ−Ｓｉ−Ｃｏ合金、Ｎｉ−Ａｌ合金のいずれかから構成する。【選択図】図１
2006014836.tif 000002
【特許請求の範囲】
【請求項１】
双晶型の制振合金より構成された食器洗浄器の筐体であって、洗浄水による音を低減させる効果を有するとともに、制振合金の組成によっては抗菌効果をも有することを特徴とする制振型食器洗浄器の筐体。
【請求項２】
食器洗浄器の筐体を構成する双晶型の制振合金が、Ｃｕ−Ａｌ−Ｍｎ合金、Ｍｇ−Ｚｒ合金、Ｍｎ−Ｃｕ合金、Ｍｎ−Ｃｕ−Ｎｉ−Ｆｅ合金、Ｃｕ−Ａｌ−Ｎｉ合金、Ｔｉ−Ｎｉ合金、Ａｌ−Ｚｎ合金、Ｃｕ−Ｚｎ−Ａｌ合金、Ｍｇ合金、Ｃｕ−Ａｌ−Ｃｏ合金、Ｃｕ−Ａｌ−Ｍｎ−Ｎｉ合金、Ｃｕ−Ａｌ−Ｍｎ−Ｃｏ合金、Ｃｕ−Ｓｉ合金、Ｆｅ−Ｍｎ−Ｓｉ合金、Ｆｅ−Ｎｉ−Ｃｏ−Ｔｉ合金、Ｆｅ−Ｎｉ−Ｃ合金、Ｆｅ−Ｃｒ−Ｎｉ−Ｍｎ−Ｓｉ−Ｃｏ合金、Ｎｉ−Ａｌ合金のいずれかからなることを特徴とする請求項１記載の制振型食器洗浄器の筐体。
【請求項３】
双晶型の制振合金が、Ｃｕ−Ａｌ−Ｍｎ−Ｎｉ合金、または、Ｃｕ−Ａｌ−Ｍｎ−Ｃｏ合金であることを特徴とする請求項２記載の制振型食器洗浄器の筐体。
【請求項４】
双晶型の制振合金が、圧延加工と組織制御のために熱処理を施したあとプレス加工により、双晶を発生させて制振特性を有することを特徴とする請求項３記載の制振型食器洗浄器の筐体。
【発明の詳細な説明】
【技術分野】
【０００１】
本発明は、内部に汚れた食器等を収納して食器等を自動的に洗浄する食器洗浄器の筐体であって、洗浄水による音を低減させる効果と抗菌効果とを有する制振型食器洗浄器の筐体に関するものである。
【背景技術】
【０００２】
従来、内部に汚れた食器等を収納して食器等を自動的に洗浄する食器洗浄器の筐体は種々のものが知られている。種々の食器洗浄器のうち、食器洗浄器の洗浄槽に生じる振動・騒音を防止して静粛化を図るため、食器洗浄器の筐体として積層構造の複合板を使用する例が知られている（例えば、特許文献１参照）。
【特許文献１】特開平５−１３０９６５号公報
【発明の開示】
【発明が解決しようとする課題】
【０００３】
上述した構造の食器洗浄器の筐体では、食器洗浄器の洗浄槽に生じる振動・騒音を防止して静粛化を図ることができるが、構造が複雑となるとともに、近年要望が高い、より高い静音性への要望をクリアするためには、騒音を低減する効果が十分でなかった。
【０００４】
本発明の目的は上述した問題点を解消して、簡単な構成で高い静音性を達成でき、さらに好適な例では抗菌効果をも得ることができる制振型食器洗浄器の筐体を提供しようとするものである。
【課題を解決するための手段】
【０００５】
本発明の制振型食器洗浄器の筐体は、双晶型の制振合金より構成された食器洗浄器の筐体であって、洗浄水による音を低減させる効果を有するとともに、制振合金の組成によっては抗菌効果をも有することを特徴とするものである。
【０００６】
また、本発明の制振型食器洗浄器の筐体の好適例としては、筐体を構成する双晶型の制振合金が、Ｃｕ−Ａｌ−Ｍｎ合金、Ｍｇ−Ｚｒ合金、Ｍｎ−Ｃｕ合金、Ｍｎ−Ｃｕ−Ｎｉ−Ｆｅ合金、Ｃｕ−Ａｌ−Ｎｉ合金、Ｔｉ−Ｎｉ合金、Ａｌ−Ｚｎ合金、Ｃｕ−Ｚｎ−Ａｌ合金、Ｍｇ合金、Ｃｕ−Ａｌ−Ｃｏ合金、Ｃｕ−Ａｌ−Ｍｎ−Ｎｉ合金、Ｃｕ−Ａｌ−Ｍｎ−Ｃｏ合金、Ｃｕ−Ｓｉ合金、Ｆｅ−Ｍｎ−Ｓｉ合金、Ｆｅ−Ｎｉ−Ｃｏ−Ｔｉ合金、Ｆｅ−Ｎｉ−Ｃ合金、Ｆｅ−Ｃｒ−Ｎｉ−Ｍｎ−Ｓｉ−Ｃｏ合金、Ｎｉ−Ａｌ合金のいずれかからなること、双晶型の制振合金が、Ｃｕ−Ａｌ−Ｍｎ−Ｎｉ合金、または、Ｃｕ−Ａｌ−Ｍｎ−Ｃｏ合金であること、及び、双晶型の制振合金が、圧延加工と組織制御のために熱処理を施したあとプレス加工により、双晶を発生させて制振特性を有すること、がある。
【発明の効果】
【０００７】
本発明の制振型食器洗浄器の筐体によれば、筐体を双晶型の制振合金より構成したことにより、音及び振動の発生を根本から除くことができる。その結果、筐体の制振性能を高めることができ、音や振動を抑え、近年要望されている厳しい静音性の条件を達成することができる。また、双晶型の制振合金としてＣｕ系の合金を用いた場合は、上記効果に加えて高い抗菌効果を得ることができる。
【発明を実施するための最良の形態】
【０００８】
図１は本発明の制振型食器洗浄器の筐体の一例を説明するための図である。図１に示す例において、食器洗浄器１は、その筐体２中に、食器類３及び食器類３を収納するかご４を設けるとともに、洗浄水の貯留槽５、洗浄ポンプ６、噴射ノズル７により、洗浄水を循環して食器類３に噴射し、食器類３を洗浄できるよう構成されている。なお、８は食器洗浄器１の蓋であり、食器類３の出し入れが可能なように開閉自在に構成されている。本発明の特徴は、上述した筐体２の材質を双晶型の制振合金から構成した点である。以下、双晶型の制振合金について説明する。
【０００９】
本発明の制振型食器洗浄器の筐体で用いる制振合金としては、従来知られているいずれの制振合金をも使用することができるが、その中でも、Ｃｕ−Ａｌ−Ｍｎ合金、Ｍｇ−Ｚｒ合金、Ｍｎ−Ｃｕ合金、Ｍｎ−Ｃｕ−Ｎｉ−Ｆｅ合金、Ｃｕ−Ａｌ−Ｎｉ合金、Ｔｉ−Ｎｉ合金、Ａｌ−Ｚｎ合金、Ｃｕ−Ｚｎ−Ａｌ合金、Ｍｇ合金、Ｃｕ−Ａｌ−Ｃｏ合金、Ｃｕ−Ａｌ−Ｍｎ−Ｎｉ合金、Ｃｕ−Ａｌ−Ｍｎ−Ｃｏ合金、Ｃｕ−Ｓｉ合金、Ｆｅ−Ｍｎ−Ｓｉ合金、Ｆｅ−Ｎｉ−Ｃｏ−Ｔｉ合金、Ｆｅ−Ｎｉ−Ｃ合金、Ｆｅ−Ｃｒ−Ｎｉ−Ｍｎ−Ｓｉ−Ｃｏ合金、Ｎｉ−Ａｌ合金のいずれかを用いることが好ましい。
【００１０】
また、上述した種々の制振合金の中でも、本発明の制振型食器洗浄器の筐体で使用する制振合金としては、Ｃｕ−Ａｌ−Ｍｎ−Ｎｉ合金、Ｃｕ−Ａｌ−Ｍｎ−Ｃｏ合金を用いることがさらに好ましい。その理由は、まず、Ｃｕ−Ａｌ−Ｍｎ−Ｎｉ合金及びＣｕ−Ａｌ−Ｍｎ−Ｃｏ合金とも、制振効果が高いことにある。また、Ｃｕ−Ａｌ−Ｍｎ−Ｎｉ合金及びＣｕ−Ａｌ−Ｍｎ−Ｃｏ合金とも、剛性が高いので、他の制振合金を使用する場合に、他の制振合金に対して例えば１／２の厚さと厚さを薄く軽量化しても、他の制振合金の場合と同じ強度を得ることができることにある。さらに、耐食性が高いので、耐食性の低い制振合金では必須であった表面のめっきが不要になることにある。さらにまた、Ｃｕ系合金であるため、高い抗菌効果をも得ることができることにある。
【００１１】
さらに、上述した種々の制振合金の中でも、特にＮｉを含有する制振合金では、制振合金を板材として製造する際の圧延方向によって制振特性が変わる異方性を示す。例えば、圧延方向が４５度の場合制振性能が最大となるといった異方性を示す。そのため、使用する制振合金にＮｉが含有されている場合は、圧延方向による異方性の状態を予め把握し、本発明の制振型食器洗浄器の筐体に用いることが好ましい。なお、双晶は、各合金に対し熱処理として９００℃で溶体化後に急冷してベータ単相として利用することが好ましい。
【００１２】
図２は本発明の制振型食器洗浄器の筐体の他の例を説明するための図である。図２に示す例においては、筐体２の外側に、筐体２と同じ材質の制振合金より構成したリブ１１を設けている。このように格子状のリブ１１を設けることで、筐体２の強度を格段に高くすることができる。特に、制振合金としてＣｕ−Ａｌ−Ｍｎ−Ｎｉ合金またはＣｕ−Ａｌ−Ｍｎ−Ｃｏ合金を使用した場合、上述したように厚みを薄くでき、リブ１１を設けても従来の制振合金を用いた筐体２の厚みと同等程度とすることができるため、組み合わせとして最も好ましい。なお、上述した例ではリブ１１を格子状としたが、他の形状でも良いことは言うまでもない。
【００１３】
本発明の制振型食器洗浄器の筐体において、例えば制振合金の板材から筐体２を作製する場合は、一般的にはプレス加工を行う。プレス加工により成形する際、制振合金には歪が付加される。このプレス加工により付加される歪は、双晶型の制振合金において、双晶の変形を促進する機能がある。そのため、歪の量を０．５〜１０％の範囲で制御して双晶の変形を最適化することで、より好適に本発明の制振型筐体を得ることができる。歪みの量を０．５〜１０％の範囲とすることが好ましいのは、この範囲で双晶が変形するため歪みなしより好適なためである。すなわち、制振合金において常温では全て双晶はランダムな方向に発生している。歪みを加えると双晶が一方向に揃い、振動が加わると、双晶が揃った方向に動きやすくなり、制振効果を得ることができる。
【産業上の利用可能性】
【００１４】
本発明の制振型食器洗浄器の筐体によれば、筐体を双晶型の制振合金より構成したことにより、音及び振動の発生を根本から除くことができる。そのため、筐体の制振性能を高めることができ、音や振動を抑え、近年要望されている厳しい静音性の条件を達成することができる。また、耐食性が高いのでめっきが不要となり、合金の有する黄金色が美的外観を提供することができる。さらに、双晶型の制振合金としてＣｕ系の合金を用いた場合は、上記効果に加えて高い抗菌効果を得ることができる。その結果、食器洗浄器の筐体として好適に使用することができる。
【図面の簡単な説明】
【００１５】
【図１】本発明の制振型食器洗浄器の筐体の一例を説明するための図である。
【図２】本発明の制振型食器洗浄器の筐体の他の例を説明するための図である。
【符号の説明】
【００１６】
１  食器洗浄器
２  筐体
３  食器類
４  かご
５  貯留槽
６  洗浄ポンプ
７  噴射ノズル
８  蓋
１１  リブ
【図１】
2006014836.tif 000003
【図２】
2006014836.tif 000004